(57)【要約】【課題】ボルトに締結されたナットの脱落をボルトに特別な加工を施すことなく防止できるとともに、自らもボルトの振動によってボルトから外れることがないナットの脱落防止装置を提供する。【解決手段】雄ネジ山を軸方向に削除してボルト溝を形成してなるボルトと、前記ボルトに螺合するナットの雌ネジ山を軸方向に削除してナット溝を形成し、このナット溝により円弧状になった前記雌ネジ山を前記ボルト溝に軸方向に挿通し、所定位置にて前記ナットを回転することによって前記ボルトに螺合する締結装置であって、  前記ナットは第１雌ネジ山を有する前部ナットと、第２雌ネジ山を有する後部ナットとに分割し、前記前部ナットと前記後部ナットとの間に連繋部材を設け、この連繋部材により円弧状の前記第１雌ネジ山と前記第２雌ネジ山とによって平面視において円形状となる位置で前記前部ナットと前記後部ナットとが連結されている。【選択図】図２
2019113176.tif 000002
【特許請求の範囲】
【請求項１】
雄ネジ山を軸方向に削除してボルト溝を形成してなるボルトと、前記ボルトに螺合するナットの雌ネジ山を軸方向に削除してナット溝を形成し、このナット溝により円弧状になった前記雌ネジ山を前記ボルト溝に軸方向に挿通し、所定位置にて前記ナットを回転することによって前記ボルトに螺合する締結装置であって、
前記ナットは第１雌ネジ山を有する前部ナットと、第２雌ネジ山を有する後部ナットとに分割し、前記前部ナットと前記後部ナットとの間に連繋部材を設け、この連繋部材により円弧状の前記第１雌ネジ山と前記第２雌ネジ山とによって平面視において円形状となる位置で前記前部ナットと前記後部ナットとが連結されていることを特徴とする締結装置。
【請求項２】
前記連繋部材は円周方向に変形可能な弾性体よりなり、この弾性体のバネ力に抗して、前記第１雌ネジ山と前記第２雌ネジ山とが重なり円弧状となる位置に前記前部ナット対して前記後部ナットを強制的に回動させるとともに、この強制的な回動を解放してバネ力が解除されると、前記第１雌ネジ山が前記第２雌ネジ山とによって平面視おいて円形状となる位置に前記前部ナット対して前記後部ナットを復帰させることを特徴とする請求項１に記載の締結装置。
【請求項３】
前記前部ナットに連繋部材を介して連結される前記後部ナットの端面に当接する脱落防止手段は、前記ボルトに対し非回転状態で前記ボルトに装着されることを特徴とする請求項１または請求項２に記載の締結装置。
【発明の詳細な説明】
【技術分野】
【０００１】この発明は、長尺のボルトへの締結作業を効率よく行うことができる締結装置に関する。
【背景技術】
【０００２】  従来、例えば建築構造物や、建築構造物内に据え付けられる各種設備機器はボルト及びナットで締結している。この締結ではボルトへの挿通作業とナットの回転作業が必要であり、狭い場所でのこの作業が困難である上に、多数のボルト及びナットで連結する場合は、その連結に時間がかかり非能率的である。
そのため、特許文献１のようにナット内に分割され、押圧バネにより付勢したナットセグメントを設け、ボルトを回転することなくボルトをナット内へ挿入することで連結できるようにしたナットが提案されている。（特許文献１参照）。
【先行技術文献】
【特許文献】
【０００３】
【特許文献１】実公昭５５−４８１７１号公報
【発明の概要】
【発明が解決しようとする課題】
【０００４】  この特許文献１に記載のナットでは、ナット内に分割されたナットセグメントをテーパ孔内に収納しているので、接触面による摩擦抵抗が大きくてナットセグメントの作動が悪くなり、しかも、セグメントの作動を良くするにはテーパ孔について高い加工精度が必要であった。【０００５】  この発明は、以上のようなことを考慮してなされたもので、設備機器を取付ける長尺のボルトへの締結作業が効率よく行われ、しかも、ナットが大型化することがなくコンパクトになり、狭い場所での締結作業が容易な締結装置を提供することを目的とする。
【課題を解決するための手段】
【０００６】  前記課題を解決し、かつ目的を達成するために、この発明は、以下のように構成した。【０００７】  請求項１に記載の発明は、雄ネジ山を軸方向に削除してボルト溝を形成してなるボルトと、前記ボルトに螺合するナットの雌ネジ山を軸方向に削除してナット溝を形成し、このナット溝により円弧状になった前記雌ネジ山を前記ボルト溝に軸方向に挿通し、所定位置にて前記ナットを回転することによって前記ボルトに螺合する締結装置であって、
前記ナットは第１雌ネジ山を有する前部ナットと、第２雌ネジ山を有する後部ナットとに分割し、前記前部ナットと前記後部ナットとの間に連繋部材を設け、この連繋部材により円弧状の前記第１雌ネジ山と前記第２雌ネジ山とによって平面視において円形状となる位置で前記前部ナットと前記後部ナットとが連結されていることを特徴とする締結装置である。【０００８】  請求項２に記載の発明は、前記連繋部材は円周方向に変形可能な弾性体よりなり、この弾性体のバネ力に抗して、前記第１雌ネジ山と前記第２雌ネジ山とが重なり円弧状となる位置に前記前部ナット対して前記後部ナットを強制的に回動させるとともに、この強制的な回動を解放してバネ力が解除されると、前記第１雌ネジ山が前記第２雌ネジ山とによって平面視おいて円形状となる位置に前記前部ナット対して前記後部ナットを復帰させることを特徴とする請求項１に記載の締結装置である。【０００９】  請求項３に記載の発明は、前記前部ナットに連繋部材を介して連結される前記後部ナットの端面に当接する脱落防止手段は、前記ボルトに対し非回転状態で前記ボルトに装着されることを特徴とする請求項１または請求項２に記載の締結装置である。【００１０】
【発明の効果】
【００１１】  前記構成により、この発明は、以下のような効果を有する。【００１２】  請求項１に記載の発明では、雄ネジ山を軸方向に削除してボルト溝を形成してなるボルトと、前記ボルトに螺合するナットの雌ネジ山を軸方向に削除してナット溝を形成し、このナット溝により円弧状になった前記雌ネジ山を前記ボルト溝に軸方向に挿通し、所定位置にて前記ナットを回転することによって前記ボルトに螺合する締結装置であって、
前記ナットは第１雌ネジ山を有する前部ナットと、第２雌ネジ山を有する後部ナットとに分割し、前記前部ナットと前記後部ナットとの間に連繋部材を設け、この連繋部材により円弧状の前記第１雌ネジ山と前記第２雌ネジ山とによって平面視において円形状となる位置で前記前部ナットと前記後部ナットとが連結されているので、設備機器などを吊る長尺の前記ボルトへの締結作業の効率が向上するとともに、設備機器より伝わる前記ボルトの振動で緩む前記ナットの脱落を抑制でき、しかも、前記ナットが大型化しなくコンパクトになり狭い場所での締結作業が容易にできる。【００１３】  請求項２に記載の発明では、前記連繋部材は円周方向に変形可能な弾性体よりなり、この弾性体のバネ力に抗して、前記第１雌ネジ山と前記第２雌ネジ山とが重なり円弧状となる位置に前記前部ナット対して前記後部ナットを強制的に回動させるとともに、この強制的な回動を解放してバネ力が解除されると、前記第１雌ネジ山が前記第２雌ネジ山とによって平面視おいて円形状となる位置に前記前部ナット対して前記後部ナットを復帰させるので、前記ボルトの前記ボルト溝に挿入するために、前記弾性体のバネ力に抗して、前記第１雌ネジ山と前記第２雌ネジ山とが重なり円弧状となる位置に前記前部ナットに対して前記後部ナットを回動させるが、前記弾性体のバネ力が解除すると、前記第１雌ネジ山と前記第２雌ネジ山とによって平面視おいて円形状のネジ孔となる位置に前記前部ナットに対して前記後部ナットが自動的に復帰することになり、迅速な締結作業ができ作業効率が向上する。【００１４】  請求項３に記載の発明では、前記前部ナットに連繋部材を介して連結される前記後部ナットの端面に当接する脱落防止手段は、前記ボルトに対し非回転状態で前記ボルトに装着されるので、設備機器を吊るす長尺のボルトに対し前記脱落防止装置を簡単に装着でき、しかも、前記設備機器の保守点検をするために前記ボルトから前記第１ナットまたは前記第２ナットを取外す場合は、前記脱落防止手段を前記ボルトに対して径方向に引き抜いた後、前記ボルトから前記第１ナットまたは前記第２ナットを軸方向に移動させて前記ボルトから取り出すことができる。
【図面の簡単な説明】
【００１５】
【図１】この発明の使用状態を示す模式図である。
【図２】この発明の第１の実施の態様を示す縦断面図である。
【図３】図１のＡ−Ａ線に沿う断面図である。
【図４】図１のＢ−Ｂ線に沿う断面図である。
【図５】この発明の作動を示す縦断面図である。
【図６】図１のＣ−Ｃ線に沿う断面図である。
【図７】この発明の第２の実施の態様を示す縦断面図である。
【図８】この発明の第３の実施の態様を示す縦断面図である。
【発明を実施するための形態】
【００１６】  以下、この発明の締結装置の実施の形態について説明する。この発明の実施の形態は、発明の最も好ましい形態を示すものであり、この発明にこれは限定されない。
【００１７】  この発明の第１の実施の形態を、図１乃至図６に基づいて説明する。図１は締結装置を実施した一例を示すもので、符号１で示されるものは天井などに取付けられる空調機などの設備機器である。
【００１８】  前記空調機１の側面１ａには、ブラケット２が固定され、このブラケット２が天井などの支持枠３より垂下されるボルト４と、これに螺合する一対のナット５により締結される。なお、前記ブラケット３と一対の前記ナット５との間にワッシャーを介在する。
【００１９】  前記ボルト４の雄ネジ山４ａを軸方向に削除して複数のボルト溝４ｂを形成し、前記雄ネジ山４ａが円弧状になるとともに、前記ボルト４に螺合する前記ナット５の雌ネジ山５ａを軸方向に削除して複数のナット溝５ｂを形成する。
【００２０】  前記ナット５の前記ナット溝５ｂに円弧状の前記ボルト４の前記雄ネジ山４ｂを軸方向に挿通して所定位置にて前記ナット５を回転することによって前記ボルト４に螺合する。なお、ボルト溝４ｂまたは、ナット溝５ｂは周方向に３ヶ所にしてなるが、４ヶ所または６ヶ所にしてもよい。
【００２１】  前記ナット５は第１雌ネジ山５１ａを有する前部ナット５１と、第２雌ネジ山５２ａを有する後部ナット５２とに分割し、前記前部ナット５１の前記第１雌ネジ山５１ａを軸方向に削除して複数の第１ナット溝５１ｂを形成するとともに、前記後部ナット５２の前記第２雌ネジ山５２ａを軸方向に削除して複数の第２ナット溝５２ｂを形成し、これにより、第１雌ネジ山５１ａおよび第２雌ネジ山５２ａは円弧状となる。
【００２２】  符号６は前記前部ナット５１と前記後部ナット５２との間に介在した連繋部材で、この連結部材６は、前記後部ナット５２に理没するボール６１と、このボール６１を軸方向に付勢するバネと、前記前部ナット５１に設けた窪み６１ｂよりなる。
【００２３】  前記ボール６１は前記窪み６１ｂに嵌入し、前記前部ナット５１に前記後部ナット５２を連結されると、円弧状の前記第１雌ネジ山５１ａと前記第２雌ネジ山５２ａとによって平面視において円形状のネジ孔になる。なお、前記ボール６１を円周上数か所に配置し、このボール６の複数が前記窪み６１ｂに嵌入することにより前記前部ナット５１と前記後部ナット５２との連結が強固になる。
【００２４】  そして、図５に示すように、円弧状の前記第１雌ネジ山と前記第２雌ネジ山とを一致させて前記前部ナットと前記後部ナットを重ね合わせ、ボックスレンチＲなどの工具にセットし、円弧状の前記第１雌ネジ山と前記第２雌ネジ山を前記ボルト４の前記ボルト溝４ｂに挿入して前記前部ナット５１と後部ナット５２を軸方向に所定位置まで移動させる。
【００２５】  次に、この所定位置にて前記前部ナット５１に対して前記後部ナット５２を回動されることによって、前記連繋部材６の前記ボール６１が前記バネ６１ａの付勢力により前記窪み６１ｂに嵌入し、前記前部ナット５１と前記後部ナット５２とが連結され、前記前部ナット５１と前記後部ナット５２とが一体化して回り増し締めされる。
【００２６】  さらに、前記前部ナット５１または前記後部ナット５２の端面には、前記ボルトに対し非回転状態にて、脱落防止手段７を前記ボルトに装着される。この脱落防止手段７は前記ボルト４の径方向より挿入する平板をプレス加工した略Ｕ字形の規制板７１よりなる。なお、規制板７１は弾性のあるステンレス鋼、ばね鋼、鋼鉄などの材料にする。
【００２７】  前記規制板７１は前記ボルト４を通過させる一側７１ａから反対の他側７１ｂに向かってボルト挿通開口７１ｃが形成された二又形状をなし、前記ボルト挿通開口７１ｃの開口幅は前記ボルト４の雄ネジ山４ａの谷の径より小さくする。
【００２８】  前記ボルト挿通開口７１ｃの周縁を半径方向に突出する複数の爪部７２とし、この爪部７２は通常のナットの前記雌ネジ山５ａの山形（三角または台形）とは異なり断面矩形状になっており、このため、前記爪部７２のエッジが前記ボルト４の前記雄ネジ山４ａに喰い込み、前記規制板７１が前記ボルト４に対して回転不動になる。
【００２９】  前記ボルト挿通開口７１ｃの周縁は前記ボルト４の雄ネジ山４ａの１ピッチ間に形成される前記雄ネジ山４ａに圧接されるようにし、前記規制板７１の板厚を前記ボルト４の前記雄ネジ山４ａの略１ピッチ程度にする。
【００３０】  前記爪部７２は前記ボルト４の前記雄ネジ山４ａの１ピッチ間に圧接させるために、複数の前記爪部７２の各位置を前記雄ネジ山４ａの傾斜に対応して軸方向にずれるようにして、前記規制板７１を水平状態で前記後部ナット５２の端面に当接させる。
【００３１】  前記ボルト４が通過する前記規制板７１の前記一側７１ａの先端に拡開操作部７３を設け、この拡開操作部７３に操作孔７３ａを穿設し、前記操作孔７３ａにサークリッププライヤー等の工具（図示せず）を係止して、前記ボルト挿通開口７１ｃを拡開して前記規制板７１を半径方向より前記ボルト４に差し込む。
【００３２】  前記工具の係止を外して前記ボルト挿通開口７１ｃの拡開を解除すると、前記規制板７１の弾性復元力で前記ボルト挿通開口７１ｃの周縁が前記ボルト４の前記雄ネジ山４ａに圧接され、前記規制板７１が回転不動になるように前記ボルト４に装着させる。
【００３３】  次に、第２の実施の形態を、図７に基づいて説明する。この実施の形態において第１の実施の形態と同じ構成は同一の符号を付して説明する。
【００３４】  この第２の実施の形態では、第１の実施の態様で説明した前記連繋部材６は、円周方向に変形可能な弾性体６１よりなり、この弾性体６１は天然ゴムや合成ゴムなどの軟質ゴム６１ａを前記前部ナット５１の端面と前記後部ナット５２の端面に接着により連結される。
【００３５】  前記軟質ゴム６２ａのバネ力に抗して、前記第１雌ネジ山５１ａと前記第２雌ネジ山５２ａとが重なり円弧状となる位置に前記前部ナット５１対して前記後部ナット５２を強制的に回動させ、円弧状の前記第１雌ネジ山５１ａと前記第２雌ネジ山５２ａを前記ボルト４の前記ボルト溝４ｂに挿入して前記前部ナット５１と後部ナット５２を軸方向に所定位置まで移動させる。
【００３６】  そして、所定位置においてこの前記後部ナット５２に対する強制的な回動を解放して前記軟質ゴム６２ａのバネ力が解除されると、前記第１雌ネジ山５１ａと前記第２雌ネジ山５２ａとによって平面視おいて円形状となる位置に前記前部ナット５１に対して前記後部ナット５２が自動的に復帰することになり、迅速な締結作業ができ作業効率が向上する。
【００３７】  次に、第３の実施の形態を、図８に基づいて説明する。この実施の形態において第１の実施の形態と同じ構成は同一の符号を付して説明する。
【００３８】  この第３の実施の形態では、第１の実施の態様で説明した前記連繋部材６の弾性体６１は、円周方向に変形可能なコイルスプリング６２ｂよりなり、このコイルスプリング６２ｂの一端６２ｃを前記前部ナット５１に係止し、他端６２ｄを前記後部ナット５２に係止する。
【００３９】  前記コイルスプリング６２ｂのバネ力に抗して、前記第１雌ネジ山５１ａと前記第２雌ネジ山５２ａとが重なり円弧状となる位置に前記前部ナット５１対して前記後部ナット５２を強制的に回動させ、円弧状の前記第１雌ネジ山５１ａと前記第２雌ネジ山５２ａを前記ボルト４の前記ボルト溝４ｂに挿入して前記前部ナット５１と後部ナット５２を軸方向に所定位置まで移動させる。
【００４０】  そして、所定位置においてこの前記後部ナット５２に対する強制的な回動を解放して前記コイルスプリング６２ｂのバネ力が解除されると、前記第１雌ネジ山５１ａと前記第２雌ネジ山５２ａとによって平面視おいて円形状となる位置に前記前部ナット５１に対して前記後部ナット５２が自動的に復帰することになり、迅速な締結作業ができ作業効率が向上する。
【００４１】  以上の構成における締結装置において、ナット５を第１雌ネジ山５１ａを有する前部ナット５１と、第２雌ネジ山５１ａを有する後部ナット５１とに分割し、前記前部ナット５１と前記後部ナット５２との間に連繋部材６を設け、この連繋部材６により円弧状の前記第１雌ネジ山５１ａと前記第２雌ネジ山５２ａとによって平面視において円形状となる位置で前記前部ナット５１と前記後部ナット５２とが連結されているので、前記空調機１などを吊る長尺の前記ボルト４への締結作業の効率が向上するとともに、前記ボルト４の全周に前記第１雌ネジ山５１ａと前記第２雌ネジ山５２ａが螺合することになり、前記空調機１などより伝わる前記ボルト４の振動で緩む前記ナット５の脱落を抑制でき、しかも、前記ナット５が大型化しなくコンパクトになり狭い場所での締結作業が容易にできる。
【００４２】  また、前記連繋部材６を円周方向に変形可能な弾性体６２とし、よりなり、前記ボルト４の前記ボルト溝４ｂに挿入するために、前記弾性体６２のバネ力に抗して、前記第１雌ネジ山５１ａと前記第２雌ネジ山５２ａとが重なり円弧状となる位置に前記前部ナット５１に対して前記後部ナット５２を相対的に回動させるが、前記弾性体６２のバネ力を解除すると、前記第１雌ネジ山５１Ａが前記第２雌ネジ山５２ａとによって平面視おいて円形状のネジ孔となる位置に前記前部ナット５１に対して前記後部ナット５２を自動的に復帰することになり、迅速な締結作業ができ作業効率が向上する。
【００４３】  さらに、前記空調機１などを吊るす前記ボルト４に対し、非回転状態にて前記第１ナット５１または前記第２ナット５２の端面に当接するよう前記ボルト４に装着する脱落防止部手段７を備えるので、前記空調機１を吊るすボルト４に対し前記脱落防止装置７を回転させることなく簡単に装着でき、しかも、前記空調機１の保守点検をするために前記ボルト４から前記ナット５を取外す場合は、前記脱落防止手段７を前記ボルト４に対して径方向に引き抜いた後、前記ボルト４から前記ナット５を軸方向に移動させて前記ボルト４から取り出すことができる。
【産業上の利用可能性】
【００４４】  この発明は、長尺のボルトに対しナットの締結作業が迅速にでき、作業効率が向上する締結装置である。
【符号の説明】
【００４５】１      空調機
１ａ    側面
２      ブラケット
３      支持枠
４      ボルト
４ａ    雄ネジ山
４ｂ    ボルト溝
５      ナット
５ａ    雌ネジ山
５ｂ    ナット溝
５１    前部ナット
５１ａ  第１雌ネジ山
５１ｂ  第１ナット溝
５２    後部ナット
５２ａ  第２雌ネジ山
５２ｂ  第２ナット溝
６      連繋部材
６１    ボール
６１ａ  バネ
６１ｂ  窪み
６２    弾性体
６２ａ  軟質ゴム
６２ｂ  コイルスプリング
６２ｃ  一端
６２ｄ  他端
７      脱落防止部手段
７１    規制板
７１ａ  一側
７１ｂ  他側
７１ｃ  ボルト挿通開口
７２    爪部
７３    拡開操作部
７３ａ  操作孔
Ｒ      ボックスレンチ
【図１】
2019113176.tif 000003
【図２】
2019113176.tif 000004
【図３】
2019113176.tif 000005
【図４】
2019113176.tif 000006
【図５】
2019113176.tif 000007
【図６】
2019113176.tif 000008
【図７】
2019113176.tif 000009
【図８】
2019113176.tif 000010